(57)【要約】【課題】記録媒体の装填及びメンテナンスを容易に行うことが可能な記録媒体加熱装置を提供すること。【解決手段】搬送される記録媒体を加熱する記録媒体加熱装置であって、前記記録媒体を一方の面側から加熱する第１加熱手段と、前記記録媒体を他方の面側から加熱する第２加熱手段と、複数のプーリに掛け渡され、前記複数のプーリ間の第１張架部に前記第１加熱手段が固定され、前記第１張架部に対向する第２張架部に前記第２加熱手段が固定される無端ベルトを複数備え、前記第１加熱手段と前記第２加熱手段とを開閉自在に保持する開閉手段とを有する記録媒体加熱装置。【選択図】図４
2015027747.tif 000002
【特許請求の範囲】
【請求項１】
搬送される記録媒体を加熱する記録媒体加熱装置であって、
前記記録媒体を一方の面側から加熱する第１加熱手段と、
前記記録媒体を他方の面側から加熱する第２加熱手段と、
複数のプーリに掛け渡され、前記複数のプーリ間の第１張架部に前記第１加熱手段が固定され、前記第１張架部に対向する第２張架部に前記第２加熱手段が固定される無端ベルトを複数備え、前記第１加熱手段と前記第２加熱手段とを開閉自在に保持する開閉手段と
を有することを特徴とする記録媒体加熱装置。
【請求項２】
前記開閉手段は、第１無端ベルトが掛け渡される第１プーリ及び第２無端ベルトが掛け渡される第２プーリが固定され、前記第１無端ベルト及び前記第２無端ベルトの回転を同期させる第１同期シャフトを有する
ことを特徴とする請求項１に記載の記録媒体加熱装置。
【請求項３】
前記開閉手段は、第３無端ベルトが掛け渡される第３プーリ及び第４無端ベルトが掛け渡される第４プーリが固定され、前記第３無端ベルトと前記第４無端ベルトの回転を同期させる第２同期シャフトと、
前記第１同期シャフトに設けられている第１ギア及び前記第２同期シャフトに設けられている第２ギアに掛け渡され、前記第１同期シャフト及び前記第２同期シャフトの回転を同期させる無端状の同期ベルトと
を有することを特徴とする請求項２に記載の記録媒体加熱装置。
【請求項４】
前記第１加熱手段及び前記第２加熱手段のうち少なくとも一方には、把持されて開閉動作に用いられる開閉ハンドルが設けられている
ことを特徴とする請求項１から３の何れか一項に記載の記録媒体加熱装置。
【請求項５】
前記第１加熱手段の重量と前記第２加熱手段の重量とが略等しい
ことを特徴とする請求項１から４の何れか一項に記載の記録媒体加熱装置。
【請求項６】
前記開閉手段は、前記第１加熱手段及び前記第２加熱手段の開閉方向に略平行に設けられ、前記第１加熱手段及び前記第２加熱手段にそれぞれ設けられている環状部材に挿入されて移動方向を規制する規制シャフトを有する
ことを特徴とする請求項１から５の何れか一項に記載の記録媒体加熱装置。
【請求項７】
前記開閉手段は、前記第１加熱手段及び前記第２加熱手段の開閉方向に略平行に設けられ、前記第１加熱手段及び前記第２加熱手段の少なくとも一方に設けられている規制ローラをガイドして移動方向を規制するレール状の規制ガイドを有する
ことを特徴とする請求項１から６の何れか一項に記載の記録媒体加熱装置。
【請求項８】
前記開閉手段は、閉じた状態で前記第１加熱手段及び前記第２加熱手段にそれぞれ設けられている突き当て部材が突き当たり、前記第１加熱手段及び前記第２加熱手段の位置決めをする位置決め部材有する
ことを特徴とする請求項１から７の何れか一項に記載の記録媒体加熱装置。
【請求項９】
請求項１から８の何れか一項に記載の記録媒体加熱装置と、
前記記録媒体加熱装置の前段に設けられ、前記記録媒体に処理液を塗布する塗布装置と
を有することを特徴とする記録媒体前処理装置。
【請求項１０】
請求項９に記載の記録媒体前処理装置と、
前記記録媒体前処理装置の後段に設けられ、前記記録媒体に画像を印刷する印刷装置と
を有することを特徴とする印刷システム。
【発明の詳細な説明】
【技術分野】
【０００１】
本発明は、記録媒体加熱装置、記録媒体前処理装置及び印刷システムに関する。
【背景技術】
【０００２】
例えばインク等で画像が印刷された記録媒体を、千鳥配列された複数の加熱ローラに掛け渡して搬送し、記録媒体を加熱して乾燥させる乾燥装置を有する輪転機が知られている（例えば、特許文献１参照）。
【発明の概要】
【発明が解決しようとする課題】
【０００３】
しかしながら、特許文献１における乾燥装置では、千鳥配列された複数の加熱ローラに記録媒体を掛け渡す必要があるため、例えば記録媒体の装填、ジャム時のメンテナンス等の作業が煩雑になる可能性がある。
【０００４】
本発明は上記に鑑みてなされたものであって、記録媒体の装填及びメンテナンスを容易に行うことが可能な記録媒体加熱装置を提供することを目的とする。
【課題を解決するための手段】
【０００５】
本発明の一態様によれば、搬送される記録媒体を加熱する記録媒体加熱装置であって、前記記録媒体を一方の面側から加熱する第１加熱手段と、前記記録媒体を他方の面側から加熱する第２加熱手段と、複数のプーリに掛け渡され、前記複数のプーリ間の第１張架部に前記第１加熱手段が固定され、前記第１張架部に対向する第２張架部に前記第２加熱手段が固定される無端ベルトを複数備え、前記第１加熱手段と前記第２加熱手段とを開閉自在に保持する開閉手段とを有する。
【発明の効果】
【０００６】
本発明の実施形態によれば、記録媒体の装填及びメンテナンスを容易に行うことが可能な記録媒体加熱装置を提供できる。
【図面の簡単な説明】
【０００７】
【図１】実施形態に係る印刷システムの概略構成を例示する図である。
【図２】実施形態に係る前処理液塗布装置の概略構成を例示する図である。
【図３】実施形態に係る加熱ユニットを例示する図である。
【図４】本体フレームが外された状態の加熱ユニットを例示する図である。
【図５】第１加熱フレーム及び第２加熱フレームが開けられる様子を例示する図である。
【図６】第１加熱フレーム及び第２加熱フレームが開いた状態を例示する図である。
【図７】加熱フレームとタイミングベルトとの固定構造を例示する図である。
【図８】規制シャフトの構成を例示する図である。
【図９】規制ローラの構成を例示する図である。
【図１０】第１加熱フレーム及び第２加熱フレームの位置決め構造を例示する図である。
【発明を実施するための形態】
【０００８】
以下、図面を参照して発明を実施するための形態について説明する。各図面において、同一構成部分には同一符号を付し、重複した説明を省略する場合がある。
【０００９】
図１は、実施形態に係る印刷システム１００の概略構成を例示する図である。
【００１０】
図１に示す様に、印刷システム１００は、給紙装置１１０、前処理液塗布装置１２０、第１インクジェットプリンタ１３０、反転装置１４０、第２インクジェットプリンタ１５０、後乾燥装置１６０、巻取装置１７０を有する。
【００１１】
給紙装置１１０は、ロール状に巻き回された長尺の連続紙等の記録媒体１０を、後段に設けられている前処理液塗布装置１２０に供給する。
【００１２】
前処理液塗布装置１２０は、記録媒体前処理装置の一例であり、後段の第１インクジェットプリンタ１３０等で記録媒体１０に吐出されるインクジェットインクの滲みや裏写りを抑えるために、記録媒体１０の表面に前処理液を塗布する。また、前処理液塗布装置１２０は、記録媒体１０に塗布された前処理液を加熱して乾燥させた後、後段の第１インクジェットプリンタ１３０に記録媒体１０を排出する。
【００１３】
第１インクジェットプリンタ１３０は、前処理液塗布装置１２０において前処理液が塗布された記録媒体１０の第１面（表面）に、画像データに基づいてインク滴を吐出して所望の画像を形成する。
【００１４】
反転装置１４０は、記録媒体１０の表裏を反転させ、反転させた記録媒体１０を後段の第２インクジェットプリンタ１５０に搬送する。また、反転装置１４０は、乾燥手段として不図示のドライヤを有し、第１インクジェットプリンタ１３０により形成された記録媒体１０の表側の画像を乾燥させる。
【００１５】
第２インクジェットプリンタ１５０は、反転装置１４０で表裏が反転された記録媒体１０の第２面（反転前の裏面）に、画像データに基づいてインク滴を吐出して所望の画像を形成する。
【００１６】
後乾燥装置１６０は、乾燥手段としてドライヤを有し、記録媒体１０の両面に形成された画像をドライヤからの熱風で乾燥させる。
【００１７】
巻取装置１７０は、片面又は両面に画像が形成され、後乾燥装置１６０にて画像形成面のインクが乾燥された記録媒体１０を巻取って回収する。
【００１８】
図２は、実施形態に係る前処理液塗布装置１２０の概略構成を例示する図である。
【００１９】
図２に示す様に、前処理液塗布装置１２０は、エアループユニット２０、前処理液塗布ユニット３０、前処理液供給ユニット４０、加熱ユニット５０、ダンサーユニット８０を有する。
【００２０】
エアループユニット２０は、回転自在に支持されたガイドローラ２１、記録媒体１０を狭持して搬送するフィードイン（ＦＩ）ローラ２２、ＦＩニップローラ２３を有する。
【００２１】
エアループユニット２０では、ガイドローラ２１、回転駆動するＦＩローラ２２、従動回転するＦＩニップローラ２３が給紙装置１１０から供給される記録媒体１０を搬送し、エアループユニット２０内に記録媒体１０を引き込む。このとき、不図示の光学センサにより、記録媒体１０の弛み量が一定となるエアループＡＬが形成される様に、ＦＩローラ２２の回転が制御される。エアループＡＬを通過した記録媒体１０は、不図示のテンションシャフトにより搬送安定化のための張力が付加され、前処理液塗布ユニット３０に搬送される。
【００２２】
前処理液塗布ユニット３０は、回転駆動するインフィードローラ３１、インフィードローラ３１との間で記録媒体１０を挟持搬送するフィードニップローラ３２、裏面塗布ユニット３３、表面塗布ユニット３４、回転駆動するアウトフィードローラ３５、アウトフィードローラ３５との間で記録媒体１０を挟持搬送するフィードニップローラ３６を有する。
【００２３】
裏面塗布ユニット３３は、スクイーズローラ３７、塗布ローラ３８、加圧ローラ３９を有する。裏面塗布ユニット３３に搬送される記録媒体１０は、スクイーズローラ３７により前処理液が供給される塗布ローラ３８と加圧ローラ３９との間で挟持搬送される際に、塗布ローラ３８により第２面（裏面）側に前処理液が塗布される。裏面塗布ユニット３３を通過した記録媒体１０は、表面塗布ユニット３４に搬送される。
【００２４】
表面塗布ユニット３４は、スクイーズローラ４７、塗布ローラ４８、加圧ローラ４９を有し、記録媒体１０の第１面（表面）側に前処理液を塗布する。表面塗布ユニット３４を通過した記録媒体１０は、アウトフィードローラ３５とフィードニップローラ３６により、加熱ユニット５０に搬送される。
【００２５】
なお、裏面塗布ユニット３３及び表面塗布ユニット３４は、選択的に作動する様に制御され、記録媒体１０は、第１面（表面）及び第２面（裏面）のいずれか一方又は両面に前処理液が塗布される。
【００２６】
前処理液供給ユニット４０は前処理液を貯留し、裏面塗布ユニット３３及び表面塗布ユニット３４に前処理液を適宜供給する。
【００２７】
加熱ユニット５０は、記録媒体加熱装置の一例であり、記録媒体１０を加熱し、記録媒体に塗布された前処理液を乾燥させる。加熱ユニット５０は、記録媒体１０の搬送方向の上流から、第１段裏面加熱ローラ５２１、第１段表面加熱ローラ５１１、第２段裏面加熱ローラ５２２、第２段表面加熱ローラ５１２、第３段裏面加熱ローラ５２３、第３段表面加熱ローラ５１３を有する。
【００２８】
各加熱ローラは、互いに離間して千鳥配列されている。言い換えると、裏面加熱ローラ５２１，５２２，５２３それぞれの回転中心を結ぶ線と、表面加熱ローラ５１１，５１２，５１３それぞれの回転中心を結ぶ線とが、平行且つ離間する様に配置されている。また、表面加熱ローラと裏面加熱ローラとが記録媒体の搬送方向において交互に配列されている。
【００２９】
各加熱ローラは、例えばヒータランプ等のヒータ７１−７６をそれぞれ内蔵する。また、各加熱ローラは、例えばヒートパイプを内蔵してもよい。ヒートパイプにより、各加熱ローラの長手方向に熱が効率良く伝達されてローラ表面の温度が均一化され、記録媒体１０への効率的な熱供給が可能になる。
【００３０】
各加熱ローラの表面は、フッ素樹脂等、非粘着性の膜でコーティングされている。この様なコーティングによって、加熱ローラ表面へのインク等の付着が抑制され、加熱ローラ表面の付着物による記録媒体１０への熱伝達効率の低下が抑制される。
【００３１】
なお、加熱ローラの数は、上述のように表面加熱用と裏面加熱用の３段の計６個に限られるものではなく、例えば、２段の計４個、４段の計８個、５段の計１０個或いはそれ以上であっても良い。
【００３２】
記録媒体１０は、各加熱ローラに順に千鳥掛け状に掛け渡された状態で搬送される。各加熱ローラは、搬送される記録媒体１０を加熱し、記録媒体１０に塗布されている前処理液を乾燥させる。
【００３３】
表面に塗布された前処理液が乾燥した記録媒体１０は、回転駆動するフィードローラ５９及びフィードニップローラ６０に挟持され、ダンサーユニット８０に搬送される。
【００３４】
ダンサーユニット８０は、２つのガイドローラ８１、８２、可動フレーム８４、可動フレーム８４の位置を検出する不図示の位置検出手段、可動フレーム８４に回転自在に取り付けられた２つのダンサーローラ８５、８６を有する。可動フレーム８４は、下部に錘８３が設けられ、ダンサーローラ８５，８６と共に矢印Ａ方向に移動可能に設けられている。記録媒体１０は、２つのガイドローラ８１、８２及び２つのダンサーローラ８５、８６にＷ字状に掛け渡される。
【００３５】
ダンサーユニット８０は、不図示の位置検出手段の出力に基づいて、フィードローラ５９の搬送量を制御して、可動フレーム８４の上下方向の位置を調整する。可動フレーム８４の位置が調整されることで、前処理液塗布装置１２０と後段の第１インクジェットプリンタ１３０との間の記録媒体１０のバッファが確保される。
【００３６】
加熱ユニット５０によって加熱された記録媒体１０は、ダンサーユニット８０にて冷却された後に、後段の第１インクジェットプリンタ１３０に搬送される。
【００３７】
次に、加熱ユニット５０について図面に基づいて説明する。
【００３８】
図３は、実施形態に係る加熱ユニット５０を例示する図であり、図４は、本体フレーム５０２が外された加熱ユニット５０を例示する図である。なお、以下に示す図面において、Ｘ方向は加熱ユニット５０の幅方向、Ｙ方向は加熱ユニット５０の奥行き方向、Ｚ方向は加熱ユニット５０の高さ方向を示す。
【００３９】
図３に示す様に、加熱ユニット５０は、開閉手段５０１、第１加熱フレーム５１０、第２加熱フレーム５２０を有する。なお、以下において、第１加熱フレーム５１０側を上、第２加熱フレーム５２０側を下として説明する。
【００４０】
第１加熱フレーム５１０は、第１加熱手段の一例であり、第１段表面加熱ローラ５１１、第２段表面加熱ローラ５１２、第３段表面加熱ローラ５１３を有し、記録媒体１０を第１面（表面）から加熱する。第２加熱フレーム５２０は、第２加熱手段の一例であり、第１段裏面加熱ローラ５２１、第２段裏面加熱ローラ５２２、第３段裏面加熱ローラ５２３を有し、記録媒体１０を第２面（裏面）から加熱する。第１加熱フレーム５１０及び第２加熱フレーム５２０は、それぞれ開閉手段５０１によりＺ方向において上下に移動可能に設けられている。
【００４１】
図３及び図４に示す様に、開閉手段５０１は、本体フレーム５０２、ラッチハンドル５０３，５０４、タイミングベルト５７１，５７２，５７３，５７４を有し、第１加熱フレーム５１０及び第２加熱フレーム５２０をそれぞれ上下に移動して開閉させる。
【００４２】
図４に示す様に、タイミングベルト５７１は、上側のプーリ５３１と下側のプーリ５４１に掛け渡されて回転可能に設けられている。同様に、タイミングベルト５７２はプーリ５３２，５４２、タイミングベルト５７３はプーリ５３３，５４３、タイミングベルト５７４はプーリ５３４と下側の不図示のプーリに掛け渡されてそれぞれ回転可能に設けられている。
【００４３】
タイミングベルト５７１の上側のプーリ５３１及びタイミングベルト５７２の上側のプーリ５３２は、図４には不図示の本体フレーム５０２に回転可能に設けられている第１同期シャフト５７５に固定されている。第１同期シャフト５７５にプーリ５３１，５３２が固定されていることで、タイミングベルト５７１及びタイミングベルト５７２は同期して回転し、同じタイミングで同じ量だけ回転する。
【００４４】
また、タイミングベルト５７３の上側のプーリ５３３及びタイミングベルト５７４の上側のプーリ５３４は、図４には不図示の本体フレーム５０２に回転可能に設けられている第２同期シャフト５７６に固定されている。第２同期シャフト５７６にプーリ５３３，５３４が固定されていることで、タイミングベルト５７３及びタイミングベルト５７４は同期して回転し、同じタイミングで同じ量だけ回転動作する。
【００４５】
第１同期シャフト５７５及び第２同期シャフト５７６は、それぞれ同じ側の端部にギア５７７，５７８が固定して設けられている。ギア５７７，５７８には、同期タイミングベルト５７９が掛け渡され、同期タイミングベルト５７９により第１同期シャフト５７５及び第２同期シャフト５７６は同期して回転する。
【００４６】
この様に、第１同期シャフト５７５、第２同期シャフト５７６及び同期タイミングベルト５７９により、タイミングベルト５７１，５７２，５７３，５７４は全て同期して回転する様に設けられている。したがって、タイミングベルト５７１，５７２，５７３，５７４の何れか１つが回転すると、他の３つも同様に回転する。
【００４７】
ここで、タイミングベルト５７１，５７２，５７３，５７４は、それぞれ２つのプーリに掛け渡されており、Ｚ方向に延びる２つの張架部がＸ方向に対向する様に形成されている。この様な構成において、タイミングベルト５７１，５７２，５７３，５７４の２つの張架部のうち一方側の第１張架部には、第１加熱フレーム５１０が、固定部５５１，５５２，５５３等により固定されている。また、タイミングベルト５７１，５７２，５７３，５７４の２つの張架部のうち他方側の第２張架部には、第２加熱フレーム５２０が固定部５６１，５６２，５６３等により固定されている。
【００４８】
次に、加熱ユニット５０における第１加熱フレーム５１０及び第２加熱フレーム５２０の開閉動作について説明する。
【００４９】
図５は、加熱ユニット５０の正面からの概略図であり、図５（ａ）は第１加熱フレーム５１０及び第２加熱フレーム５２０の閉状態、図５（ｂ）は第１加熱フレーム５１０及び第２加熱フレーム５２０の開状態を例示している。
【００５０】
第１加熱フレーム５１０は、図５に示す様に、タイミングベルト５７２の第１張架部５７２ａ及びタイミングベルト５７３の第１張架部５７３ａに固定されている。同様に、第１加熱フレーム５１０は、図５には不図示のタイミングベルト５７１及びタイミングベルト５７４の第１張架部に固定されている。
【００５１】
また、第２加熱フレーム５２０は、タイミングベルト５７２の第１張架部５７２ａに対向する第２張架部５７２ｂ及びタイミングベルト５７３の第１張架部５７３ａに対向する第２張架部５７３ｂに固定されている。同様に、第２加熱フレーム５２０は、図５には不図示のタイミングベルト５７１及びタイミングベルト５７４の第１張架部に対向する第２張架部に固定されている。
【００５２】
この様な構成において、第１加熱フレーム５１０及び第２加熱フレーム５２０は、一方の加熱フレームの上下への移動に同期して他方の加熱フレームも上下に移動することで開閉する。
【００５３】
第１加熱フレーム５１０及び第２加熱フレーム５２０は、図５（ａ）に示す閉状態から、開閉ハンドル５０５が掴まれて第２加熱フレーム５２０が下方に押し下げられると、図５（ｂ）に示す開状態になる。第２加熱フレーム５２０が下方に押し下げられると、図５（ｂ）に示す様に、タイミングベルト５７２，５７３が、同期タイミングベルト５７９により同期された状態で図５（ｂ）に示す矢印方向に回転する。この様にタイミングベルト５７２，５７３が回転すると、第１張架部５７２ａ，５７３ａに固定されている第１加熱フレーム５１０は上方に移動して開状態になる。
【００５４】
開状態から第２加熱フレーム５２０が上方に持ち上げられると、タイミングベルト５７２，５７３が図５（ｂ）に示す矢印とは逆方向に回転し、第１加熱フレーム５１０が下方に移動して図５（ａ）に示す閉状態になる。
【００５５】
この様に、加熱ユニット５０では、開閉ハンドル５０５が設けられている第２加熱フレーム５２０が上下に移動されると、第１加熱フレーム５１０が第２加熱フレーム５２０とは反対方向に移動して開閉する。したがって、例えば記録媒体１０の装填時、記録媒体１０のジャム時等には、図６に示す様に、第１加熱フレーム５１０及び第２加熱フレーム５２０を開けて記録媒体１０の装填やメンテナンス等を容易に行うことが可能になっている。
【００５６】
開状態での記録媒体１０の装填、メンテナンス後には、第１加熱フレーム５１０及び第２加熱フレーム５２０を閉じれば、記録媒体１０が表面加熱ローラ５１１，５１２，５１３及び裏面加熱ローラ５２１，５２２，５２３に掛け渡されて動作可能な状態になる。
【００５７】
なお、開閉ハンドル５０５は、第１加熱フレーム５１０に設けられてもよく、第１加熱フレーム５１０及び第２加熱フレーム５２０の両方に設けられてもよい。
【００５８】
図７は、第１加熱フレーム５１０とタイミングベルト５７１との固定構造を例示する図である。図７に示す様に、第１加熱フレーム５１０とタイミングベルト５７１とは、固定部５５１により固定されている。
【００５９】
固定部５５１は、第１加熱フレーム５１０の側面に固定されてタイミングベルト５７１の外周面に沿って設けられる固定プレート５５５、固定プレート５５５との間でタイミングベルト５７１を挟み込む対向プレート５５６，５６７を有する。
【００６０】
対向プレート５５６、５５７は、タイミングベルト５７１を間に挟んでネジ５５８，５５９により固定プレート５５５に固定される。対向プレート５５６，５５７には、それぞれタイミングベルト５７１の内周面に設けられている歯に噛み合う溝が設けられている。
【００６１】
第１加熱フレーム５１０は、固定プレート５５５と、タイミングベルト５７１の歯に噛み合う対向プレート５５６，５５７とでタイミングベルト５７１に固定され、タイミングベルト５７１の回転に伴って上下に移動する。
【００６２】
図４に示す様に、第１加熱フレーム５１０は、固定部５５１と同様の構成を有する固定部５５２，５５３等によりタイミングベルト５７２，５７３，５７４に固定され、タイミングベルト５７１，５７２，５７３，５７４の回転に伴って上下に移動する。また、第２加熱フレーム５２０は、固定部５５１と同様の構成を有する固定部５６１，５６２，５６３等によりタイミングベルト５７１，５７２，５７３，５７４に固定され、タイミングベルト５７１，５７２，５７３，５７４の回転に伴って上下に移動する。
【００６３】
加熱ユニット５０の開閉手段５０１には、第１加熱フレーム５１０及び第２加熱フレーム５２０のＸＹ平面における位置及びＺ方向への移動方向を規制する規制部材として、後述する規制シャフト５９０及び規制ローラ５９５が設けられている。
【００６４】
規制シャフト５９０は、図３及び図４に示す様に、軸方向が第１加熱フレーム５１０及び第２加熱フレーム５２０の移動方向（Ｚ方向）に略平行になる様に両端が本体フレーム５０２に固定されている。
【００６５】
図８は、規制シャフト５９０の構成を例示する図である。
【００６６】
第１加熱フレーム５１０には、Ｌ字状のプレート５９１が固定して設けられている。プレート５９１の第１加熱フレーム５１０の側面から突出する部分には、規制シャフト５９０が挿入される環状部材としてのスリーブベアリング５９２が設けられている。また、第２加熱フレーム５２０にも、同様にプレート５９３、スリーブベアリング５９４が設けられ、スリーブベアリング５９４には規制シャフト５９０が挿入されている。
【００６７】
この様な構成により、第１加熱フレーム５１０及び第２加熱フレーム５２０は、規制シャフト５９０によってＸＹ平面において位置決めされ、開閉動作時に規制シャフト５９０に沿って上下方向（Ｚ方向）に移動する。したがって、第１加熱フレーム５１０及び第２加熱フレーム５２０は、例えばタイミングベルト５７１，５７２，５７３，５７４が撓み、Ｘ方向又はＹ方向に変位することがない。
【００６８】
図９は、規制ローラ５９５の構成を例示する図である。
【００６９】
規制ローラ５９５は、第１加熱フレーム５１０の側面に回転可能に設けられている。本体フレーム５０２には、規制ローラ５９５をガイドして第１加熱フレーム５１０の移動方向を規制するレール状の規制ガイド５９７が設けられている。
【００７０】
規制ガイド５９７は、第１加熱フレーム５１０及び第２加熱フレーム５２０の移動方向（Ｚ方向）に略平行に設けられており、第１加熱フレーム５１０及び第２加熱フレーム５２０において規制ローラ５９５をガイドする。第１加熱フレーム５１０は、規制ローラ５９５が規制ガイド５９７にガイドされることで、開閉動作時における移動方向が規制される。また、同様の構成で第２加熱フレーム５２０の移動方向を規制する規制ローラ及び規制ガイドが設けられてもよい。
【００７１】
この様な構成により、第１加熱フレーム５１０及び第２加熱フレーム５２０は移動方向が規制され、開閉動作時において、例えばタイミングベルト５７１，５７２，５７３，５７４の撓み等により異なる方向に移動することなく所定の方向に移動して開閉する。
【００７２】
また、加熱ユニット５０の開閉手段５０１には、第１加熱フレーム５１０及び第２加熱フレーム５２０の閉状態でのＺ方向における位置決めをするラッチシャフト５８０が設けられている。
【００７３】
ラッチシャフト５８０は、位置決め部材の一例であり、図３及び図４に示す様に、軸方向がＸ方向に平行になる様に両端部が本体フレーム５０２に固定されている。
【００７４】
図１０は、第１加熱フレーム５１０及び第２加熱フレーム５２０の位置決め構造を例示する図である。
【００７５】
第１加熱フレーム５１０には、閉状態でラッチシャフト５８０に対向する位置に、突き当て部材５８１が設けられている。また、第２加熱フレーム５２０には、閉状態でラッチシャフト５８０に対向する位置に、突き当て部材５８２が設けられている。
【００７６】
突き当て部材５８１，５８２は、第１加熱フレーム５１０及び第２加熱フレーム５２０の閉状態でそれぞれラッチシャフト５８０に突き当たる。突き当て部材５８１，５８２がラッチシャフト５８０に突き当たることで、第１加熱フレーム５１０及び第２加熱フレーム５２０の閉状態でのＺ方向における位置決めがなされる。
【００７７】
なお、突き当て部材５８１，５８２は、記録媒体１０の加熱ローラへの巻き付き量等を適宜変更できる様に、Ｚ方向位置を調整可能に設けられることが好ましい。
【００７８】
また、第１加熱フレーム５１０の重量と第２加熱フレーム５２０の重量とは、略等しくなる様に設けられている。第１加熱フレーム５１０及び第２加熱フレーム５２０は、重量が略等しいことで、何れか一方の重みでタイミングベルト５７１，５７２，５７３，５７４が回転して移動することがない。したがって、第１加熱フレーム５１０及び第２加熱フレーム５２０は、上下に移動して任意の位置に留まることができる。
【００７９】
以上で説明した様に、本実施形態に係る加熱ユニット５０によれば、第１加熱フレーム５１０及び第２加熱フレーム５２０がそれぞれ上下に移動して開閉する。加熱ユニット５０は、第１加熱フレーム５１０及び第２加熱フレーム５２０が開閉可能に設けられていることで、記録媒体１０の装填及びメンテナンス等を容易に行うことが可能になっている。
【００８０】
以上、実施形態に係る記録媒体加熱装置、記録媒体前処理装置及び印刷システムについて説明したが、本発明は上記実施形態に限定されるものではなく、本発明の範囲内で種々の変形及び改良が可能である。
【符号の説明】
【００８１】
１０  記録媒体
５０  加熱ユニット（記録媒体加熱装置）
１００  印刷システム
１２０  前処理液塗布装置（記録媒体前処理装置）
５０１  開閉手段
５１０  第１加熱フレーム（第１加熱手段）
５２０  第２加熱フレーム（第２加熱手段）
５３１，５３２，５３３，５３４  上プーリ
５４１，５４２，５４３，５４４  下プーリ
５７１，５７２，５７３，５７４  タイミングベルト（無端ベルト）
５７２ａ，５７３ａ  第１張架部
５７２ｂ，５７３ｂ  第２張架部
５７５  第１同期シャフト
５７６  第２同期シャフト
５７７，５７８  ギア
５７９  同期タイミングベルト（同期ベルト）
５８０  ラッチシャフト（位置決め部材）
５８１，５８２  突き当て部材
５９０  規制シャフト
５９２，５９４  スリーブベアリング（環状部材）
５９６  規制ローラ
５９７  規制ガイド
【先行技術文献】
【特許文献】
【００８２】
【特許文献１】特開平１０−２０２８３９号公報
【図１】
2015027747.tif 000003
【図２】
2015027747.tif 000004
【図３】
2015027747.tif 000005
【図４】
2015027747.tif 000006
【図５】
2015027747.tif 000007
【図６】
2015027747.tif 000008
【図７】
2015027747.tif 000009
【図８】
2015027747.tif 000010
【図９】
2015027747.tif 000011
【図１０】
2015027747.tif 000012